(57)【要約】【課題】  近年、高濃度炭酸泉による足浴や腕浴が盛んに行なわれるようになっている。しかし、足浴槽が浅い為、脹脛まで浸けることができないのが実情である。【解決手段】  足や腕の形状に似せた断熱部材とポリ袋を使用し、ポリ袋に足や腕を入れた後にさらに足や腕を断熱部材に入れ、袋と足や腕の間に高濃度炭酸泉を注入する方法と用具を提案する。これにより、炭酸泉の湯量を最低限にでき、さらに湯温が下がるのを防ぐことができる。さらに、軽いので持ち運びも用意で手軽に場所を選ばずに炭酸泉浴が出来る。【選択図】図１２
2009022710.tif 000002
【特許請求の範囲】
【請求項１】
炭酸ガスがお湯に５００ｐｐｍ以上の濃度で溶けている炭酸温水に足および／または腕を浸ける温浴において、足および／または腕の形状に近い内側形状を有する断熱部材を有し、該断熱部材の一部に足および／または腕を挿入できる開口部を有し、足および／または腕の形状に近い形状を有するビニールあるいはポリエチレンなどの液体を通さない袋を有し、該袋の１辺に足および／または腕を挿入できる開口部を有し、該開口部から足および／または腕を袋に挿入し、さらに足および／または腕を袋に挿入した状態で前記断熱部材の開口部から前記断熱部材に足および／または腕を挿入し、前記袋の開口部から前記袋と足および／または腕の間に炭酸ガスが５００ｐｐｍ以上の濃度で溶けている炭酸温水を注入し、その状態で少なくとも３分以上、好ましくは１０分以上前記炭酸温水を足および／または腕と前記袋の間に溜めておく炭酸温水温浴方法。
【請求項２】
前記断熱部材が２つ以上の部品で構成され、前記袋を足および／または腕に装着した後に、前記断熱部材を足および／または腕を挟むように装着し、該断熱部材を伸縮自在のバンドあるいは面ファスナー付のバンドあるいはラップ材などで締め付けて形状を維持することを特徴とする請求項１記載の炭酸温水温浴方法。
【請求項３】
前記袋と足および／または腕の間に炭酸温水を注入した後に袋の開口部を伸縮自在のバンドあるいは面ファスナー付のバンドあるいはラップ材などで足および／または腕に密着するように締め付け、中の炭酸温水が用意に外部に漏れない状態を維持することを特徴とする請求項１および２記載の炭酸温水温浴方法。
【請求項４】
前記断熱部材の一部に発熱体あるいは蓄熱体を収納できるスペースを設け、該発熱体あるいは蓄熱体と前記袋が直接あるいは間接的に接触させて前記袋の中の炭酸温水の保温を行う事を特徴とする請求項１から３記載の炭酸温水温浴方法
【請求項５】
炭酸ガスがお湯に５００ｐｐｍ以上の濃度で溶けている炭酸温水に足および／または腕を浸ける温浴において、足および／または腕の形状に近い内側形状を有する断熱部材を有し、該残熱部材の一部に足および／または腕を挿入できる開口部を有し、足および／または腕の形状に近い形状を有するビニールあるいはポリエチレンなどの液体を通さない袋を有し、該袋の１辺に足および／または腕を挿入できる開口部を有することを特徴とする炭酸温水温浴用具。
【請求項６】
前記断熱部材において、たとえば、足用としては左右２つの部材で構成され、腕用としては上下２つの部材で構成されるように、２つ以上の部材を組み合わせた構成であり、それら２つ以上の部材を組み合わせる際に、伸縮自在のバンドあるいは面ファスナー付のバンドあるいはラップ材などを用いて組み合わせた形状を維持することを特徴とする請求項５記載の炭酸温水温浴用具。
【請求項７】
前記袋の開口部を足および／または腕に密着させる為の伸縮自在のバンドあるいは面ファスナー付のバンドを有するか、開口部を足および／または腕に密着させるように巻きつけるための粘着部を前記袋開口部近傍に有することを特徴とする請求項５および６記載の炭酸温水温浴用具。
【請求項８】
前記断熱部材の一部に発熱体あるいは蓄熱体を収納できるスペースを設けることを特徴とする請求項５から７記載の炭酸温水温浴方法。
【請求項９】
前期発熱体あるいは蓄熱体と前記袋が直接接触しないように発熱体あるいは蓄熱体と前記袋の間に金属板あるいは布あるいは不織布などを装着することを特徴とする請求項５から８記載の炭酸温水温浴用具。
【発明の詳細な説明】
【技術分野】
【０００１】  本発明は、人工炭酸泉による温浴を広く普及させるために考案されたもので、装置で炭酸ガスをお湯に溶かす方法や重曹と酸をお湯に溶かして作った高濃度炭酸泉で場所を選ばすに簡単に炭酸泉浴を行なうための技術に関するものである。【０００２】  炭酸泉の持つ、毛細血管を皮膚に向かって発達させる性質が近年医学的に認識されてきたため、老人の冬場の皮膚のかゆみ改善や女性の肌美容および冷え性に効果のある高濃度炭酸泉浴に関するものであり、また医学的に必要とされる糖尿病患者の壊疽からくる足の切断を防ぐ炭酸泉による足浴方法及びその用具に関するものである。
【背景技術】
【０００３】  天然の炭酸泉は日本には少なく、その効果があまり知られていなかった。近年、医学的な温泉の治療効果として認められるものは、炭酸温泉と硫化水素泉といわれている。また硫化水素泉の人工的な生成は大変難しいが、それに対して炭酸泉を人工的に生成するのはそれ程難しくない。炭酸泉は高濃度になれば、毛細血管の発育を促進し、糖尿病などで壊疽による足の切断をすることなく、足に出来る壊疽の回復が可能となり、一方、毛細血管の血流を促進する働きが高血圧患者や心臓病を持つ方々に対する治療効果があることが研究者の努力により日本においても知られてきた。【０００４】  これらの効果により、スーパー銭湯といわれる大型温浴施設に人工炭酸泉が導入されつつある。また、全身浴はもとより手軽にできる足浴や腕浴が盛んになってきている。すなわち、足湯と言われる座った状態で足だけお湯に浸ける浴槽に人工炭酸泉を入れ、服は着たままで足だけを炭酸泉に付ける施設である。さらには腕と足を同時に炭酸泉に浸ける装置もある。【０００５】    家庭で行なう方法もあり、この場合はフットバスといわれるバケツに人工炭酸泉を入れてそこに足を付ける方法である。これは、風呂に入ってもすぐに足が冷えてしまい、寝つけない女性に人気がある。
【発明が解決しようとする課題】
【０００６】  しかし、現在ある足浴槽（フットバス）は足湯施設にある足浴槽は別として、足首より少し上までしか人工炭酸泉に浸からず、本来浸けたい脹脛を炭酸泉につけることができないのが現状である。脹脛まで炭酸泉に浸けようとすると足浴槽を探くしなければならず、これにより湯量が大幅に増大し、重くて簡単に足浴槽を運べなくなる。また、腕と足を同時に温浴する為の装置においては、足浴槽が深くなると足浴槽上部と腕浴槽との隙間が取れなくなり、足の出し入れができなくなってしまうという問題がある。
【０００７】  また、湯量が増えると水道代および炭酸ガス代が増えコストが上がってしまうと言う経済的な問題もある。特に最近家庭用として重宝されている薬剤により高濃度炭酸泉を作る方法においては、薬剤の量が増えてコストが大幅に上がってしまうことになる。
【０００８】  さらに、常に保温していないと炭酸泉の温度が下がってしまうので、専用の足浴施設では循環保温を行い、フットバスなどではヒータ付の物などがあり、炭酸泉が冷めないようにしているが、これも装置コストおよび電気代というコストアップの要因を抱えている。
【課題を解決するための手段】
【０００９】  本発明は炭酸泉の湯量を最低限し、さらに保温効果を持たせることにより、場所を選ばす低コストで手軽に高濃度炭酸泉浴を実現できる方法および用具を提供することを目的とするもので、足および／または腕の外形に近い内面形状を有する断熱部材、たとえば発泡ポリエチレンや発泡スチロール、と足および／または腕を入れるビニールやポリ袋を用意し、その袋に足および／または腕を入れて、さらに、その足および／または腕を断熱部材に入れ、袋と足および／腕の間に炭酸泉を入れ、袋の開口部を水が飛び出ない程度にバンドなどにより締めつける方法と用具を提案するものである。
【００１０】  炭酸泉の入る部分が、足および／または腕と断熱材の間の隙間だけである為、炭酸泉の湯量を最小限に抑えられ、さらに、炭酸泉の熱は断熱部材により外部に逃げない為ヒータなどを使わなくても容易には冷めない。また、袋の開口部を適度に塞いでいる為、炭酸泉からの炭酸ガスの放出も軽減される。
【００１１】  長時間の炭酸泉浴を行なうときなど、どうしても湯温が下がってしまう場合は、断熱部材の一部に使い捨てカイロなどの発熱体やレンジで温めるタイプのカイロを装着できるようにしておくことで、湯温の下降を防ぐ方法も提案している。
【００１２】  また、断熱部材を足および／または腕の形状に近い形状とすると、足および／または腕の出し入れが困難になる場合があり、そのために、断熱部材を２つ以上の部材の組み合わせとし、足および／または腕の外側から被せる様に装着し、伸縮自在のベルトや面ファスナー付のベルトあるいはラップ材などで２つ以上の断熱部材を外側から固定する方法も提案している。
【発明を実施するための最良の形態】
【００１３】  図を用いて本発明の実施の形態を説明する。図９から図１２は腕および足の炭酸泉浴をしている状態を示し、図１から４が腕浴用の断熱部材の詳細を説明する図で、図５から８が足浴用の断熱部材の詳細を説明する図である。【００１４】  まず図９および１０を用いて腕の炭酸泉浴の実施例を説明する。まず、腕をポリ袋２６に入れ、ポリ袋の開口端を伸縮自在のバンド２５で腕に締め付けて留める。そして、図１０に示すように袋をかぶせた状態の腕を断熱部材１内に入れ、上から断熱部材２でフタをし、面ファスナー付のベルト（図示せず）で断熱部材１と２が離れないように固定している。【００１５】  次に、バンド２５を引っ張ってポリ袋２６の開口端を開いて、そこから炭酸泉を断熱部材１および２の上部より低い位置まで入れる。
その際、ポリ袋２６は炭酸泉により押し広げられるが断熱部材１および２の内側に当り、それ以上広がらない状態で止まる。これにより、ポリ袋２６に水圧が掛かることが無く、ポリ袋２６の強度を必要以上に上げる必要が無い。【００１６】  炭酸泉を入れ終わったら、バンド２５を離して開口端を元に戻す。開口端はバンド２５により塞がれている為、腕が動いて少しくらい内部の炭酸泉が揺れても、容易に外に出ることは無い。
この状態で３分以上、好ましくは１０分以上炭酸泉浴を続けることにより、浸漬部の毛細血管の血流量が増加し、新陳代謝が活発になる。【００１７】  また、温浴中の炭酸泉の熱は断熱部材１および２により外部にほとんど伝わらず、炭酸泉の温度が下がりにくい。
長時間温浴を行なう場合は、図１０に示すように、断熱部材１にくぼみ１８を設け、使い捨てカイロなどの発熱材１６をくぼみ１８に入れ、その上にアルミ板１７を取り付ける。これは、発熱体に触ることにより火傷や低温火傷を起こさない為の保護板である。【００１８】  また、くぼみ１８の下部には穴１９が少なくとも１つ以上設けられ、使い捨てカイロのように、空気と接触することで発熱する発熱体に空気を補給できる構造となっている。【００１９】  上記説明において、ポリ袋２６はビニール袋などの液体を通さない袋であれば良く、ポリ袋に限定されない。また、伸縮自在のバンド２５も面ファスナー付のベルトであったり、ラップ材などでも良い。ただし、その場合は炭酸泉を入れる際はベルトやラップは一度外し、炭酸泉を入れた後に再度締め付ける必要がある。さらに、残熱部材１と２を固定する面ファスナー付のベルトも伸縮自在のバンドであったり、ラップ材であってもかまわない。アルミ板１７も他の金属板や布や合成繊維であってもかまわない。【００２０】  温浴が終わったら、断熱部材１と２を固定しているベルトを外し、断熱部材２を取り外す。さらにバンド２５をポリ袋２６の開口部から上にずらして、手をポリ袋２６から引き抜く。【００２１】  その後、断熱部材２の中に残った炭酸泉入りのポリ袋２６を断熱部材２ごとシンク等の排水場所に持って行き、ポリ袋２６内の炭酸泉を捨てる。そして、ポリ袋２６も衛生面を考えて、次の人に使わずに使い捨てにするのが望ましい。ポリ袋２６を繰り返し使用する場合は、内部を殺菌剤などで消毒して使用する。【００２２】  次に、図１１および１２を用いて足浴の場合の実施例を説明する。腕の場合と同様に、ポリ袋２７に足を入れ、開口部をバンド２５で足に締め付ける。そしてポリ袋２７を履いた状態の足をさらに断熱部材２１に入れる。【００２３】  その後、バンド２５を引っ張って開口部から炭酸泉をポリ袋２７と足の間に入れて行き、断熱部材２１の上端より低い位置まで入れる。その際、ポリ袋２７は炭酸泉により押し広げられてゆき、断熱部材２１の内面に当ってとまる。【００２４】  炭酸泉を入れ終わったら、バンド２５を離して再びポリ袋２７の開口部を塞ぎ、そのまま３分以上、望ましくは１０分以上温浴を行なう。この場合も、腕浴同様、炭酸泉の熱は断熱部材２７により外部に伝わりにくくなっており、温度が下がりにくい。また、ポリ袋２７の開口部もバンド２５により閉じられているので、少しくらい足を動かしても、中の炭酸泉が外部に容易に飛び出ることが無い。【００２５】  また、長時間の温浴用に、図１２に示すように、断熱部材２１の底の部分に穴２８を設け発熱体１６を収容できるようにしても良い。その際、火傷や低温火傷を防ぐ為と穴２８を塞ぐ為に、穴２８の上部にアルミ板１７を取り付けておくことが望ましい。そして、断熱部材２１の底に断熱部材でできたカバー１５を取り付け穴２８の下側を塞いでいる。カバー１５には空気穴１９が少なくとも１つ以上設けられており、空気と反応する発熱体に空気を供給できるようになされている。【００２６】  図１１および１２においても、ポリ袋２７はビニール袋などの液体を通さない袋であれば良く、ポリ袋に限定されない。また、伸縮自在のバンド２５も面ファスナー付のベルトであったり、ラップ材などでも良い。ただし、その場合は炭酸泉を入れる際はベルトやラップは一度外し、炭酸泉を入れた後に再度締め付ける必要がある。アルミ板１７も他の金属板であってもかまわない。【００２７】  次に、図１から４を用いて、腕浴用の断熱部材１および２の詳細を説明する。図１は断熱部材１と２を組み合わせた図であり、図２は図１のＡ−Ａ断面図である。図３は断熱部材２の単体図で図４は断熱部材１の単体図である。
断熱部材１は図４に示すように、腕の形状に合わせて幅を変化させた形状で、図２に示すように内部の底面と内側面との繋ぎ部分に大きなＲを取ってある。また、断熱部材２も図２に示すように、内部のＲを大きく取ってある。これにより、入る炭酸泉の湯量を少なくすることが出来る。【００２８】  図２には、発熱体１６とそれを収納するくぼみ１８およびアルミ板１７が示されているが、短時間の温浴などで炭酸泉の温度降下が気にならない場合は、これらを設ける必要は無い。【００２９】  次に、図５から図６を用いて、足浴用の断熱部材２１および１５の詳細を説明する。ここでは、断熱部材２１が断熱部材２１と２２の２つの部材で構成されている。すなわち、左右対称の形状の断熱部材２１と２２を組み合わせて足の形を作っている。【００３０】  その際、断熱部材２１と２２は接着などにより分離できないように貼り付けておいても良いし、図６に示すようにラップ材２０を巻きつけることにより２つを固定しても良い。もちろんラップ材２０の変わりに面ファスナー付のベルトや伸縮自在のバンドで２つの断熱部材２１および２２を固定しても良い。【００３１】  また、図７に示すように断熱部材２１と２２には位置を合わせるために凸部２４と２３が設けられていても良い。
さらに、図６には、発熱体１６とそれを収納する穴２８およびアルミ板１７とカバー１５が示されているが、短時間の温浴などで炭酸泉の温度降下が気にならない場合は、これらを設ける必要は無い。【００３２】  カバー１５の形状は図８に示されるように、穴２８の位置にあわせて穴１９が設けられている。この穴１９から外部の空気が入り発熱体１６の反応を促進する。そして、カバー１５を断熱部材２１および２２に装着する場合に、単にはめ込むだけでも良いし、図６に示すようにラップ材２０で固定しても良い。
【発明の効果】
【００３３】  本発明により、使用する炭酸泉の湯量を極限まで少なくすることができ、炭酸泉生成コストを抑えることができる。また、湯量が少ない為、炭酸泉の持ち運びや使用後捨てる際も容易である。
【００３４】  また、用具も発泡断熱部材でできているため、非常に軽く、持ち運びが容易であり、場所を選ばずに炭酸泉浴を行う事ができる。そして、本用具は個々に独立している為、マッサージチェーなどとあわせて使う際も、マッサージチェアーを改造することなく既製品を使用することが可能である。
【００３５】  さらに、足や腕を入れる袋は使い捨てにすることも可能で、他人が使った物を使用することが無く、衛生面でも有利である。もちろん、環境問題に配慮して毎回殺菌消毒して繰り返し使用することもできる。
【００３６】  本発明により、足や腕の高濃度炭酸泉浴をエステやマッサージの店だけではなく、家庭でも手軽に楽しむことが可能になり、炭酸泉浴を広く復旧させる一助となる。
【図面の簡単な説明】
【００３７】
【図１】本発明における腕浴用の断熱部材を示す
【図２】図１のＡ−Ａ断面を示す
【図３】本発明における断熱部材２の単品を示す
【図４】本発明における断熱部材１の単品を示す
【図５】本発明における足浴用の断熱部材を示す
【図６】図５のＡ−Ａ断面を示す
【図７】本発明における断熱部材２１と２２の単品を示す
【図８】本発明におけるカバー１５を示す
【図９】本発明における腕浴をしている状態を示す
【図１０】本発明における足浴をしている状態を示す
【符号の説明】
【００３８】１，２，１５，２１，２２  断熱部材
１６  発熱体、  １７  アルミ板、  １８  くぼみ
１９  穴、  ２０  ラップ材  ２３，２４  凸部
２５  バンド  ２６，２７  ポリ袋  ２８  穴
【図１】
2009022710.tif 000003
【図２】
2009022710.tif 000004
【図３】
2009022710.tif 000005
【図４】
2009022710.tif 000006
【図５】
2009022710.tif 000007
【図６】
2009022710.tif 000008
【図７】
2009022710.tif 000009
【図８】
2009022710.tif 000010
【図９】
2009022710.tif 000011
【図１０】
2009022710.tif 000012
【図１１】
2009022710.tif 000013
【図１２】
2009022710.tif 000014
【手続補正書】
【提出日】平成19年10月17日(2007.10.17)
【手続補正１】
【補正対象書類名】明細書
【補正対象項目名】００３７
【補正方法】変更
【補正の内容】
【００３７】
【図１】本発明における腕浴用の断熱部材を示す
【図２】図１のＡ−Ａ断面を示す
【図３】本発明における断熱部材２の単品を示す
【図４】本発明における断熱部材１の単品を示す
【図５】本発明における足浴用の断熱部材を示す
【図６】図５のＡ−Ａ断面を示す
【図７】本発明における断熱部材２１と２２の単品を示す
【図８】本発明におけるカバー１５を示す
【図９】本発明における腕浴をする際に腕にポリ袋を着けた状態を示す
【図１０】本発明における腕浴をしている状態を示す
【図１１】本発明における足浴をする際に足にポリ袋を付けた状態を示す。
【図１２】本発明においては足浴をしている状態を示す。